(57)【要約】【課題】  パチンコ機のパチンコ機構部を備えた前面枠部と、該前面枠部を支持する機枠とを開閉する役目をなすものであって、極めて強固な状態に施錠することができるとともに、開錠もスムーズに行なうこと。【解決手段】  施錠ベース体１に装着された錠により操作されるリンクを介して前面枠部２０と機枠１９との開閉を行なう前面枠施錠鉤部Ｂにおいて、該前面枠施錠鉤部Ｂは、前記リンクを介して揺動する揺動本体部１０と、該揺動本体部１０に形成され，機枠１９に装着された被係合部２４と係合する係合部１１とからなること。前記揺動本体部１０の揺動中心１０Ｐと前記係合部１１の内端部１１ｉと先端部１１ｔとのなす角度θを鋭角とするとともに前記係合部１１の内端部１１ｉには凹み領域１１ａが形成されること。【選択図】      図１
2006081851.tif 000002
【特許請求の範囲】
【請求項１】
施錠ベース体に装着された錠により操作されるリンクを介して前面枠部と機枠との開閉を行なう前面枠施錠鉤部において、該前面枠施錠鉤部は、前記リンクを介して揺動する揺動本体部と、該揺動本体部に形成され，機枠に装着された被係合部と係合する係合部とからなり、前記揺動本体部の揺動中心と前記係合部の内端部と先端部とのなす角度を鋭角とするとともに前記係合部の内端部には凹み領域が形成されてなることを特徴とするパチンコ機用枠施錠装置。
【請求項２】
請求項１において、前記凹み領域は、係合部の長手方向に略直交する方向に凹む窪み部が形成されてなることを特徴とするパチンコ機用枠施錠装置。
【請求項３】
請求項１において、前記凹み領域は、係合部の先端部から内端部に向かって、前記揺動本体部側に次第に深く凹むように斜辺状部が形成されてなることを特徴とするパチンコ機用枠施錠装置。
【発明の詳細な説明】
【技術分野】
【０００１】
本発明は、パチンコ機のパチンコ機構部を備えた前面枠部と、該前面枠部を支持する機枠とを開閉する役目をなすものであって、極めて強固な状態に施錠することができるとともに、開錠もスムーズに行なうことができるパチンコ機用枠施錠装置に関する。
【背景技術】
【０００２】
パチンコ機において、一般にパチンコ機構部を備えた前面枠と、機枠とを開閉する施錠装置が備わっている。この施錠装置には、１つの錠が備わっており、この錠に専用鍵を差し込みその正逆回転により、ガラス枠のみを開閉したり、前面枠のみを開閉させることができる。このような施錠装置は、特許文献１等に開示されている。
【特許文献１】実公平６−１７４５号
【発明の開示】
【発明が解決しようとする課題】
【０００３】
ところで、このような施錠装置では、保守，管理やその他の必要に応じて前面枠部を機枠から開閉させる場合に、その閉じたときの状態は、前面枠部側のパチンコ機用枠施錠装置に装着された前面枠施錠鉤部と機枠側に装着された被係合部との係合により行なわれる。また、前面枠部を機枠から開くときには、前面枠施錠鉤部が被係合部からはずれることにより行なわれる。また、その前面枠施錠鉤部は、施錠装置の錠及び該錠により作動するリンクを介して揺動動作を行なうようになっている。
【０００４】
このように、前面枠施錠鉤部は、リンクを介して揺動動作を行なうものであり、施錠ベース体には、前面枠施錠鉤部以外にその他の鉤や錠及びリンクがぎっしりと詰め込まれている。この施錠ベース体は、前面枠部に対して装着されるスペースはわずかしか設けられていないことが多い。そのために、前述したように施錠ベース体にぎっしりと詰め込まれた、リンク，鉤等の構成部品は、僅かのスペース内で動作しなければならない。
【０００５】
前記前面枠施錠鉤部の揺動動作も同様に極めて狭いスペース内で行なわれるものであり、その開閉動作における揺動範囲の角度も極めて小さくまとめられなくてはならない。そのために、リンクと前面枠施錠鉤部との枢支連結箇所との移動範囲が小さいながらも、前面枠施錠鉤部の揺動が必要且つ十分な最小の動作ができるように、係合部と揺動中心との位置関係は、揺動中心と，係合部の内端と，係合部の外端の３点によって構成される角度が鋭角となるようにしている。すなわち、その前面枠施錠鉤部の鉤の形状を略「Ｎ」形状とすることで、前面枠施錠鉤部の被係合部との開閉に対する揺動動作を最小限にしている。これによって、前面枠施錠鉤部は、機枠の被係合部に対して僅かの揺動角度にて係合することができるし、前面枠施錠鉤部を揺動させるリンクの動作も少ない範囲で済むようになっている。
【０００６】
ところが、上述したように、前面枠施錠鉤部の揺動中心ｐと，係合部ａの内端と，係合部ａの外端の３点によって構成される角度を鋭角にした場合に〔図１０（Ａ），（Ｂ）参照〕、その前面枠施錠鉤部の係合部ａの揺動軌跡が被係合部ｂに重なる部分があり、相互に干渉しあい、前面枠施錠鉤部による前面枠部の開閉動作を行い難いものとし、前面枠施錠鉤部の係合部ａが被係合部ｂから外れにくくなることがある〔図１０（Ｃ），（Ｄ）参照〕。
【０００７】
とくに、図１０（Ｂ）に示すように、係合部ａと被係合部ｂとが相互に干渉しあうと開錠の初動作で、前面枠施錠鉤部と被係合部とが強い圧力で擦れ合うことになり、前面枠施錠鉤部の係合部ａが被係合部ｂから離れるときには、大きな力を必要とすることになる。また、閉じるときにも、前面枠施錠鉤の係合部ａ部と被係合部ｂとの係合が不完全な状態になるおそれがある。本発明の目的は、上述した問題点を解決するとともに、パチンコの施錠装置における開閉を極めてコンパクトな構成としながらも、前面枠施錠鉤部の係合部と、被係合部との相互に及ぼす干渉を軽減させてより一層スムーズにすることにある。
【課題を解決するための手段】
【０００８】
そこで、発明者は上記課題を解決すべく、鋭意，研究を重ねた結果、請求項１の発明は、施錠ベース体に装着された錠により操作されるリンクを介して前面枠部と機枠との開閉を行なう前面枠施錠鉤部において、該前面枠施錠鉤部は、前記リンクを介して揺動する揺動本体部と、該揺動本体部に形成され，機枠に装着された被係合部と係合する係合部とからなり、前記揺動本体部の揺動中心と前記係合部の内端部と先端部とのなす角度を鋭角とするとともに前記係合部の内端部には凹み領域が形成されてなるパチンコ機用枠施錠装置としたことにより、上記課題を解決したものである。
【０００９】
次に、請求項２の発明は、前述の構成において、前記凹み領域は、係合部の長手方向に略直交する方向に凹む窪み部が形成されてなるパチンコ機用枠施錠装置としたり、或いは請求項３の発明は、前述の構成において、前記凹み領域は、係合部の先端部から内端部に向かって、前記揺動本体部側に次第に深く凹むように斜辺状部が形成されてなるパチンコ機用枠施錠装置としたことにより、上記課題を解決したものである。
【発明の効果】
【００１０】
請求項１の発明によれば、揺動本体部の揺動中心と前記係合部の内端部と先端部とのなす角度を鋭角とするとともに前記係合部の内端部には凹み領域が形成されたことで、その係合部が機枠側の被係合部と係合部した状態において、凹み領域と被係合部とは離間した状態となる。そのために、その凹み領域箇所では係合部と被係合部とが接触していないので、前面枠施錠鉤部を被係合部からロック解除する場合に、係合部と被係合部とが開錠時の初動作で相互に干渉することなくスムーズに開錠することができる。さらに、前面枠部を機枠に閉じて前面枠施錠鉤部と被係合部とをロックする場合にも、前記凹み領域が形成されているので、その被係合部の端縁が係合部に対して内端部まで到達し、確実なロック状態にすることができる。
【００１１】
また、前述したように、揺動本体部の揺動中心と前記係合部の内端部と先端部とのなす角度が鋭角であるために、被係合部が揺動本体部の係合部箇所に食い込むようにして係合するので、しっかりとした係合状態（ロック状態）とすることができるとともに、このように揺動本体部の揺動中心と前記係合部の内端部と先端部とのなす角度が鋭角のために、被係合部とのロック状態を解除するために必要な揺動範囲を小さくすることができ、ひいては揺動本体部を揺動させるリンクの動作も小さくて済むものである。これによって、施錠装置をコンパクト化することに貢献することができる。
【００１２】
次に、請求項２の発明によれば、凹み領域は、係合部の長手方向に略直交する方向に凹む窪み部を形成するのみでよく、極めて簡単な構成にすることができる。さらに請求項３の発明によれば、係合部と被係合部との接触は、係合部の先端部のみであり、ロック解除における動作が極めてスムーズにできるものである。
【発明を実施するための最良の形態】
【００１３】
以下、本発明の実施形態を図面に基づいて説明する。パチンコ機は、図９に示すように、機枠１９の前面に前面枠部２０が開閉自在に装着される。該前面枠部２０の前面にはガラス枠部２３が開閉自在に装着される。前記前面枠部２０の裏面には取付枠２１が固着され、該取付枠２１にパチンコ機構部２２が装着されている。また、前記前面枠部２０の裏面側で、開閉中心と反対側の位置にパチンコ機用枠施錠装置Ａが装着される。
【００１４】
そのパチンコ機用枠施錠装置Ａは、図１乃至図３等に示すように、施錠ベース体１，前面枠施錠鉤部Ｂ，前面枠施錠リンク部５，ガラス枠施錠鉤部６，ガラス枠施錠リンク部７等から構成されている。その施錠ベース体１は、板状に形成された主側板１ａと従側板１ｂとから構成されており、前記主側板１ａと従側板１ｂとが略直角を構成している。すなわち、前記施錠ベース体１は、その長手方向に直交する断面形状が前記主側板１ａと従側板１ｂとによって、略「Ｌ」字形状に形成されたものである（図４参照）。その主側板１ａには、後述するラック８が摺動自在に装着されている。さらに、前記主側板１ａには、後述する押え部２が形成され、該押え部２により前記ラック８が主側板１ａ面上を所定の範囲において往復摺動自在となっている。
【００１５】
その押え部２は、後述するように、前記ラック８の一側の長辺側をその長手方向の端部箇所で押さえるようにして２箇所に形成されている（図１参照）。前記主側板１ａの長手方向の両端箇所には、図１乃至図３に示すように、前面枠施錠鉤部Ｂが揺動自在に枢支連結されている。具体的には、前記主側板１ａにおける前記前面枠施錠鉤部Ｂの装着箇所は、主側板１ａの表面側に円形状の膨出部が形成され、該膨出部上に前面枠施錠鉤部Ｂがリベット，ピン等の枢支部材１３により、枢支連結され、その前面枠施錠鉤部Ｂは前記枢支部材１３を揺動中心として揺動するものである。その前面枠施錠鉤部Ｂと前記ラック８との間には、前面枠施錠リンク部５が連結され、前記ラック８の往復の摺動動作に伴って前記前面枠施錠鉤部Ｂが揺動動作する。その前面枠施錠リンク部５は、前記ラック８を中心として、２つ存在している。
【００１６】
その前面枠施錠鉤部Ｂは、図１，図４，図５等に示すように、主に揺動本体部１０，係合部１１から構成されている。その揺動本体部１０には、揺動中心１０Ｐが設定され、該揺動中心１０Ｐの位置で、前記枢支部材１３によって、施錠ベース体１の主側板１ａに揺動自在に装着される。その揺動本体部１０には金属板材がプレス加工等により膨出状に形成されたリブ等の補強部が形成されている。また、前記揺動本体部１０の揺動中心１０Ｐの付近には、前面枠施錠リンク部５がジョイントピン９を介して枢支連結されている。その揺動本体部１０と前面枠施錠リンク部５との枢支連結箇所の付近と施錠ベース体１との間にはスプリング材３が掛け渡され、前面枠施錠鉤部Ｂが常時、ロック状態となるように弾性的に付勢され、開錠した状態から、直ぐにロック状態に復帰できるようにしている。その揺動本体部１０には係合部１１が形成されている。
【００１７】
該係合部１１は、前記揺動本体部１０の一部が切除形状又は切欠形状とし、その部位で後述する被係合部２４と係合接触する部分のことである。この係合部１１が揺動本体部１０に形成されるために、揺動本体部１０に形成された切除形状又は切欠形状を総称して係合空隙部１１ｂと称する。該係合空隙部１１ｂには被係合部２４が遊挿することになる。そして、この係合部１１は、前記係合空隙部１１ｂにおいて、前記揺動中心１０Ｐから最も離れた内辺位置である。
【００１８】
さらに、この係合部１１（係合空隙部１１ｂを含む）と、前記前面枠施錠リンク部５との枢支連結箇所との間に、前記揺動中心１０Ｐが位置するようになっている。また、前記係合部１１には、内端部１１ｉと先端部１１ｔとが存在し、前記内端部１１ｉとは、前記係合空隙部１１ｂの内方側終点位置となる部位のことである。また、先端部１１ｔとは、係合空隙部１１ｂの外端位置となる部位のことであり、換言するならば、係合空隙部１１ｂの開口端部となる側である。
【００１９】
ここで、図５に示すように、前記揺動本体部１０の揺動中心１０Ｐと前記係合部１１の内端部１１ｉと先端部１１ｔとのなす角度θは、９０度未満とした鋭角である。具体的には７０度乃至８０度程度である。すなわち、前記揺動中心１０Ｐと前記係合部１１の内端部１１ｉと先端部１１ｔとの３点によって、略「7 」又は略「Ｎ」字形状が構成される。このような構成にすることにより、係合部１１と被係合部２４との係合状態（ロック状態）を解除するのに必要な揺動本体部１０の揺動範囲を小さくすることができる。
【００２０】
さらに、揺動本体部１０を揺動動作させるための前面枠施錠リンク部５の動作も小さくすることができ、ひいては、パチンコ機用枠施錠装置をコンパクトにすることができる。さらに、前述したように、揺動中心１０Ｐと前記係合部１１の内端部１１ｉと先端部１１ｔとのなす角度θを鋭角としているので、機枠１９側の被係合部２４が前面枠施錠鉤部Ｂの係合部１１に対して深く食い込むようにして係合することができるので、ロック状態における係合力を強固にすることができる。
【００２１】
そして、前記係合部１１には、内端部１１ｉに凹み領域１１ａが形成されている。該凹み領域１１ａは、前記係合部１１の内端部１１ｉから、前記係合部１１の長手方向に対して、略直交する方向に食い込むように凹み形成されたものである。この凹み領域１１ａは、２つのタイプが存在する。まず、その第１タイプでは、前記係合部１１の長手方向に略直交する方向に凹むようにして形成されたものであり、窪み部１１ａ1 と称する。この窪み部１１ａ1 は、前記係合部１１の形状を略全体に亘って直線状とし、その内端部１１ｉ箇所で、前記係合部１１の長手方向に略直交する方向に向かって、揺動本体部１０内に食い込むようにして形成されたものである。したがって、係合部１１と被係合部２４とが係合した状態では、前記窪み部１１ａ1 は、被係合部２４とは離間した状態になっており、係合部１１の窪み部１１ａ1 箇所以外の部分は被係合部２４と接触するものである。
【００２２】
その窪み部１１ａ1 の全体の形状は、略台形，略長方形又は略正方形状等の４辺形状に形成されている。また、その窪み部１１ａ1 は、略三角形状としたり、或いは半円状等の湾曲状に形成されることもある。上記のいずれの形状としても、前記係合部１１と被係合部２４とが係合した状態、すなわちロック状態において、係合部１１の内端部１１ｉと被係合部２４とが離間した状態に維持されるものであれば、どのような形状としても構わない。
【００２３】
図６（Ａ）及び図７（Ａ）は、前面枠施錠鉤部Ｂの係合部１１が機枠１９側の被係合部２４と係合している状態及びその要部拡大図である。この係合状態で、凹み領域１１ａ（窪み部１１ａ1 ）と被係合部２４とは離間状態であり、その凹み領域１１ａ箇所では係合部１１と被係合部２４とが接触していない。そのために、前面枠施錠鉤部Ｂの係合部１１を被係合部２４からロック（係合）解除する場合には、図６（Ｂ），図７（Ｂ），（Ｃ）に示すように、係合部１１と被係合部２４とが互いに離れて開錠が行なわれるときの初動作で相互に干渉することなくスムーズに開錠することができる。
【００２４】
なお、図７（Ａ），（Ｂ），（Ｃ）に記載されている矢印は、ロック（係合）を解除するときにおける前面枠施錠鉤部Ｂが移動する方向を示すものである。さらに、前面枠部を機枠１９に閉じて前面枠施錠鉤部Ｂと被係合部２４とをロック（係合）する場合にも、前記凹み領域１１ａが形成されているので、その被係合部２４の端縁が係合部１１に対して内端部まで到達し、確実なロック（係合）状態にすることができる。
【００２５】
また、前述したように、揺動本体部１０の揺動中心１０Ｐと前記係合部１１の内端部１１ｉと先端部１１ｔとのなす角度が鋭角であるために、被係合部２４が揺動本体部１０の係合部１１箇所に食い込むようにして係合するので、しっかりとした係合状態（ロック状態）とすることができるとともに、このように揺動本体部１０の揺動中心１０Ｐと前記係合部１１の内端部１１ｉと先端部１１ｔとのなす角度θが鋭角のために、被係合部２４とのロック状態を解除するために必要な揺動範囲を小さくすることができ、ひいては揺動本体部１０を揺動させるリンクの動作も小さくて済むものである。これによって、施錠装置をコンパクト化することに貢献することができる。
【００２６】
次に、前記凹み領域１１ａの第２タイプとしては、係合部１１の先端部１１ｔから内端部１１ｉに向かって、揺動本体部１０側に次第に深く凹むように前記係合部１１の一部を斜辺としたものである。この斜辺部分を斜辺状部１１ａ2 と称する。該斜辺状部１１ａ2 を有する係合部１１は、少なくともその先端部１１ｔは、被係合部２４に当接する部位として存在させておくものである。したがって、係合部１１と被係合部２４とが係合した状態では、前記斜辺状部１１ａ2 は、被係合部２４とは離間した状態になっており、係合部１１の先端部１１ｔが被係合部２４と接触するものである。さらに、凹み領域１１ａの第３タイプとしては、係合部１１に前記窪み部１１ａ1 と斜辺状部１１ａ2 とが、ともに形成されたものである。
【００２７】
次に、２つの前面枠施錠リンク部５，５は、図１乃至図３等に示すように、長手方向の長さが異なっている。これは、ラック８の装着位置が施錠ベース体１の長手方向の中央よりもいずれか一方側の端部寄りに位置しているからである。また、２つの前面枠施錠リンク部５，５のうち、長手方向に長い前面枠施錠リンク部５は、複数のリンク材５ａ，５ａ，…が直列状に連結されて構成されたものであり、具体的には、２本のリンク材５ａ，５ａからなる２部材構成としている。これらリンク材５ａ，５ａは、その一方側のリンク材５ａにジョイントピン９が固着され、他方側のリンク材５ａに連結孔５ａ1 が形成されて、このピン５ｂと連結孔５ａ1 により連結されるものであり、その連結孔５ａ1 は長孔状に形成されており、該連結孔５ａ1 内を前記ジョイントピン９が摺動自在となっている。
【００２８】
また、長手方向に短い前面枠施錠リンク部５は、一つのリンク材５ａのみで構成され、前記ラック８にジョイントピン９により連結されている。前記一つのリンク材５ａとラック８との連結が行なわれる箇所にも長孔状の連結孔５ａ1 が形成され、前記ジョイントピン９が摺動可能となっている。また、前面枠施錠リンク部５には、前記前面枠施錠鉤部Ｂが起立している状態を維持する方向に付勢するようにスプリング材３が２つ前面枠施錠リンク部５，５と施錠ベース体１との間に掛け渡される。また、前記スプリング材３は前面枠施錠鉤部Ｂと施錠ベース体１との間に掛け渡されることもある。そして、このピン連結箇所における長孔状の連結孔５ａ1 によって、隣接するリンク材５ａ，５ａ同士は、前面枠施錠リンク部５，５が開錠される方向とは反対側に移動するときには、そのラック８の往復動作が前記前面枠施錠鉤部Ｂと直接連結しているリンク材５ａにまでは伝達されないようになっている。
【００２９】
さらに、前記主側板１ａには、その長手方向の両側箇所に２つのガラス枠施錠鉤部６，６が揺動自在となるようにリベット，ピン等の枢支部材１３により、枢支連結され、そのガラス枠施錠鉤部６は前記枢支部材１３を揺動中心として揺動するものである。さらに、そのガラス枠施錠鉤部６，６を揺動させるガラス枠施錠リンク部７がラック８との間にジョイントピン９，９を介して連結されている。さらに具体的には、前記２つのガラス枠施錠鉤部６，６は、前記ラック８の装着位置の一方側に適宜の間隔をおいて装着され、前記ガラス枠施錠リンク部７は、前記ラック８の長手方向の一端側，すなわち両ガラス枠施錠鉤部６，６が位置している側にジョイントピン９を介して枢支連結されている。
【００３０】
そして、前記ガラス枠施錠リンク部７も前記前面枠施錠リンク部５と同様に、複数のリンク材７ａ，７ａ，…から構成されており、その複数のリンク材７ａ，７ａ，…が前記ジョイントピン９により連結されている。このリンク材７ａ，７ａ，…の連結孔７ａ1 も前記連結孔５ａ1 と同様に長孔状に形成されている。そして、リンク材７ａ，７ａ同士のピン連結箇所における連結孔７ａ1 により、隣接するリンク材７ａ，７ａ同士は、ガラス枠施錠鉤部６，６が開錠される方向とは反対側に移動するときには、そのラック８の往復動作がリンク材７ａ，７ａ，…に伝達されないようになっている。また、ガラス枠施錠リンク部７は、２つのガラス枠施錠鉤部６，６をリンク材７ａにて連結するものであるが、その両ガラス枠施錠鉤部６，６との間には２本のリンク材７ａ，７ａがピン連結されている。
【００３１】
そして、両リンク材７ａ，７ａは、長孔状の連結孔７ａ1 とジョイントピン９により連結されている。そして、一方のガラス枠施錠鉤部６が鍵を使用しないで、不正な手段により強制的に開かれたとしても、前記リンク材７ａが隣接する他方側のリンク材７ａに動作を伝達せず、よって他方側のガラス枠施錠鉤部６を揺動させない仕組みとなっている。これによって、２つのガラス枠施錠鉤部６，６の一方が不正に開かれても、他方のガラス枠施錠鉤部６はロック状態を維持し、ガラス枠部２３が不正に開かれないようにしている。なお前記両ガラス枠施錠鉤部６，６は、ロック状態である直立状態を維持する方向に付勢するスプリング材３，３が施錠ベース体１との間に掛け渡されている。
【００３２】
このような構成によって、前記錠１２に挿入した鍵を１方向に回転させることで、鍵が錠軸１２ｃに回転を伝達し、その錠軸１２ｃに装着されたピニオン１４が回転して、ラック８を長手方向の１方側に沿って移動させ、前面枠施錠リンク部５を介して前面枠施錠鉤部Ｂに揺動動作を伝達し、また前記鍵を前述とは反対方向に回転させることにより、ガラス枠施錠リンク部７を介して前記ガラス枠施錠鉤部６が揺動動作を行なうものである。また、前記鍵の正逆両回転で、前記前面枠施錠リンク部５及びガラス枠施錠リンク部７はそれぞれに形成された長孔状の連結孔５ａ1 及び連結孔７ａ1 によって、前面枠施錠鉤部Ｂとガラス枠施錠鉤部６とが同時に揺動することがないように、それぞれの動作を制御することができる。
【００３３】
次に、前記錠１２は、錠本体部１２ａとフランジ部１２ｂから構成されており、前記錠本体部１２ａには錠軸１２ｃが装着され、該錠軸１２ｃが鍵の操作により回動する。そして、その錠軸１２ｃは錠本体部１２ａの外部に突出し、その突出した錠軸１２ｃ先端にピニオン１４が装着され、ビス，ボルト等により固定されている。そのピニオン１４は前記ラック８と噛み合うように設定され、前記錠軸１２ｃの回動とともに前記ピニオン１４が回動し、前記ラック８が往復摺動を行なうことができる。
【００３４】
そのパチンコ機用枠施錠装置Ａにおける施錠ベース体１の従側板１ｂが前記前面枠部２０に装着される前面枠部２０には、前記錠１２の錠本体部１２ａが挿入する錠収納孔２０ａが形成され、その錠収納孔２０ａに収納された錠１２は、前記前面枠部２０の外部，すなわちガラス枠側から前記錠本体部１２ａに設けられた鍵穴が露出するようになっている。そして、作業員はその鍵穴から鍵操作を行い、ガラス枠部２３を開閉することができるようになっている。
【図面の簡単な説明】
【００３５】
【図１】（Ａ）はパチンコ機用枠施錠装置の錠取付け箇所における平面図、（Ｂ）は（Ａ）の要部の拡大図である。
【図２】（Ａ）は本発明におけるパチンコ機用枠施錠装置の平面図、（Ｂ）はパチンコ機用枠施錠装置においてガラス枠施錠リンク部を除いて前面枠施錠リンク部の構成を示した状態の一部切除した状態の平面図、（Ｃ）はパチンコ機用枠施錠装置の正面図である。
【図３】（Ａ）は本発明におけるパチンコ機用枠施錠装置の錠装着箇所の拡大平面図、（Ｂ）はパチンコ機用枠施錠装置の中央箇所の拡大平面図、（Ｃ）はパチンコ機用枠施錠装置の錠装着箇所とは反対側箇所の拡大平面図である。
【図４】（Ａ）は前面枠施錠鉤部が被係合部から外れて開錠状態とした拡大図、（Ｂ）はは前面枠施錠鉤部が被係合部と係合したロック状態の拡大図である。
【図５】前面枠施錠鉤部の構成を示す拡大図である。
【図６】（Ａ）は前面枠施錠鉤部が被係合部に係合した状態図、（Ｂ）は係合状態から開錠状態に移行する状態図である。
【図７】（Ａ）係合状態における凹み領域と被係合部の位置関係を示す拡大図、（Ｂ）は係合状態から開錠状態に移行を始めた状態の拡大図、（Ｃ）はさらに開錠状態に移行した状態の拡大図である。
【図８】（Ａ）は凹み領域部の第２タイプが形成された前面枠施錠鉤部の要部拡大図、（Ｂ）は凹み領域部の第３タイプが形成された前面枠施錠鉤部の要部拡大図である。
【図９】本発明のパチンコ機用枠施錠装置を装着したパチンコ機における前面枠及びガラス枠をそれぞれ開いた状態の斜視図である。
【図１０】（Ａ）は従来タイプの前面枠施錠鉤部が被係合部に係合した状態図、（Ｂ）は係合状態から開錠状態に移行する状態図、（Ｃ）従来タイプの前面枠施錠鉤部と被係合部の係合状態の要部拡大図、（Ｄ）は係合状態から開錠状態に移行を始めた状態の要部拡大図である。
【符号の説明】
【００３６】
１…施錠ベース体、Ｂ…前面枠施錠鉤部、１０…揺動本体部、１０Ｐ…揺動中心、
１１…係合部、１１ｉ…内端部、１１ｔ…先端部、１１ａ…凹み領域、
１１ａ1 …窪み部、１１ａ2 …斜辺状部、１９…機枠、２０…前面枠部、
２４…被係合部。
【図１】
2006081851.tif 000003
【図２】
2006081851.tif 000004
【図３】
2006081851.tif 000005
【図４】
2006081851.tif 000006
【図５】
2006081851.tif 000007
【図６】
2006081851.tif 000008
【図７】
2006081851.tif 000009
【図８】
2006081851.tif 000010
【図９】
2006081851.tif 000011
【図１０】
2006081851.tif 000012